(57)【要約】【課題】タッチパネル操作による設定を円滑に行うことが可能な電子機器を提供することを目的とする。【解決手段】本電子機器では、タッチパネルは、表示部上に重ねて配置される。タッチパネルは、指示手段による入力操作を受け付けて操作信号を出力する。制御部は、アイコンを、表示部に表示させる。制御部は、操作信号に基づいてアイコンの選択を検出する。制御部は、メニュー項目を示すメニュー項目アイコンを、表示部に表示させる。制御部は、メニュー項目アイコンの選択の検出に応じて、選択されたメニュー項目に含まれる設定項目を示す設定アイコンを、表示部に表示させる。また、制御部は、メニュー項目アイコンの選択の検出に応じて、選択されたメニュー項目に関する第１情報を、表示部に表示させる。制御部は、設定アイコンの選択の検出に応じて、選択された設定項目に関する第２情報を、表示部に表示させる。【選択図】図６
2013149234.tif 000002
【特許請求の範囲】
【請求項１】
表示部と、
前記表示部上に重ねて配置され、指示手段による入力操作を受け付けて操作信号を出力するタッチパネルと、
文字および画像の少なくともいずれか一方を含むアイコンを、前記表示部に表示させ、前記操作信号に基づいて前記アイコンの選択を検出する制御部と、
を備え、
前記制御部は、
メニュー項目を示すメニュー項目アイコンを、前記表示部に表示させ、
前記メニュー項目アイコンの選択の検出に応じて、選択されたメニュー項目に含まれる設定項目を示す設定アイコンを、前記表示部に表示させ、選択されたメニュー項目に関する第１情報を、前記表示部に表示させ、
前記設定アイコンの選択の検出に応じて、選択された前記設定項目に関する第２情報を、前記表示部に表示させる、
電子機器。
【請求項２】
前記制御部は、前記設定アイコンの選択の検出に応じて、まず、前記第２情報を前記表示部に表示させ、続いて、前記第１情報を前記表示部に表示させる、
請求項１に記載の電子機器。
【請求項３】
前記第１情報及び前記第２情報は、前記表示部の所定の領域に表示される、
請求項１又は２に記載の電子機器。
【請求項４】
前記制御部は、前記メニュー項目アイコンの選択の検出に応じて、まず、前記第１情報を前記表示部に表示させ、続いて、現状の設定項目に対応する第３情報を、前記表示部に表示させる、
請求項１から３のいずれかに記載の電子機器。
【請求項５】
前記第１情報及び前記第３情報は、前記表示部の所定の領域に表示される、
請求項４に記載の電子機器。
【請求項６】
前記制御部は、前記メニュー項目アイコンの選択の検出に応じて、前記メニュー項目アイコンを前記表示部において非表示にさせ、前記設定アイコンを前記表示部に表示させ、前記第１情報を前記表示部に表示させる、
請求項１から４のいずれかに記載の電子機器。
【発明の詳細な説明】
【技術分野】
【０００１】
本技術は、メニューを表示してユーザに選択させることにより機器の設定を行うことが可能な電子機器に関する。
【背景技術】
【０００２】
デジタルカメラ等の電子機器は、モニタにメニューを表示し、このメニュー画面上でユーザに所望のメニュー項目および設定値を選択させることにより、機器の設定を行えるようになっている。このような電子機器では、表示されるメニュー項目に関する説明が、表示されるようになっている（例えば、特許文献１参照。）。
【０００３】
この従来の電子機器は、メニュー表示において選択対象となっているメニュー項目に関する説明を、同一画面上に表示する。ユーザはこの説明を見ながらボタン操作を行う。例えば、ユーザは、所望のメニュー項目を選択対象として選択した上で、決定ボタンを押す。これにより、ユーザは、各メニュー項目の内容をまだ理解していなくても、表示される説明を参考にしながら、メニュー項目の選択を行うことができる。
【先行技術文献】
【特許文献】
【０００４】
【特許文献１】特開２００７−２７４３８１号公報
【発明の概要】
【発明が解決しようとする課題】
【０００５】
上記のような従来の電子機器における説明表示の構成は、ボタン操作をタッチパネルの操作に置き換えた場合に、直接的に適用することができないという課題があった。以下、この課題について説明する。
【０００６】
従来の電子機器は、まず、ボタン操作により、所望のメニュー項目が選択対象として選択される。次に、決定ボタンが操作されると、画面が、そのメニュー項目に対する設定画面に移行する。この設定画面において、ユーザは各種の設定を行う。したがって、従来の電子機器では、メニュー項目を選択対象として選択する段階（まだ決定ボタンを押していない段階）において、メニュー項目に対する説明を表示することが可能であった。
【０００７】
このボタン操作をタッチパネルの操作に置き換える場合、まず、タッチ操作によりメニュー項目を選択対象として選択し、次に、画面上の決定アイコンをタッチする等のインタフェースとすることが考えられる。しかしながら、この構成では、タッチパネルは、直感的な操作を特徴としたインタフェースを、有しているにもかかわらず、メニュー項目を選択するために２回のタッチ操作が必要となる。ここで、ユーザが、メニュー項目の内容を十分に理解できていない場合、ユーザは、説明を読みながらタッチパネルを操作するため、この構成でも問題ない。しかしながら、ユーザが、メニュー項目の内容を理解済みである場合、このインタフェースでは２回のタッチ操作が必要となり、ユーザは、この操作を煩雑に感じるという問題がある。
【０００８】
一方、ユーザがメニュー項目をタッチしただけで、画面が、そのメニュー項目の設定画面に移行するように構成した場合には、メニュー項目に対する説明を表示することができない。この場合、画面上に、メニュー項目の説明を表示させるための説明アイコンを、表示する構成が、考えられる。この構成の場合、ユーザが、この説明アイコンをタッチすると、タッチしたメニュー項目についての説明を表示することができる。しかしながらこの場合は、ユーザは、説明の表示を行う場合に、２回のタッチ操作が必要となり、操作が煩雑になってしまう。また、説明アイコンの使い方がわかりにくいという課題もあった。
【０００９】
本技術は、上記課題に鑑みてなされたものであり、タッチパネル操作による設定を円滑に行うことが可能な電子機器を、提供する。
【課題を解決するための手段】
【００１０】
ここに開示される電子機器は、表示部と、タッチパネルと、制御部とを、備えている。タッチパネルは、表示部上に重ねて配置される。タッチパネルは、指示手段による入力操作を受け付けて操作信号を出力する。制御部は、文字および画像の少なくともいずれか一方を含むアイコンを、表示部に表示させる。制御部は、操作信号に基づいてアイコンの選択を検出する。制御部は、メニュー項目を示すメニュー項目アイコンを、表示部に表示させる。制御部は、メニュー項目アイコンの選択の検出に応じて、選択されたメニュー項目に含まれる設定項目を示す設定アイコンを、表示部に表示させる。また、制御部は、メニュー項目アイコンの選択の検出に応じて、選択されたメニュー項目に関する第１情報を、表示部に表示させる。制御部は、設定アイコンの選択の検出に応じて、選択された設定項目に関する第２情報を、表示部に表示させる。
【発明の効果】
【００１１】
本技術によれば、タッチパネル操作による設定を円滑に行うことが可能な電子機器を提供することが可能となる。
【図面の簡単な説明】
【００１２】
【図１】本実施形態に係るデジタルカメラの正面図
【図２】本実施形態に係るデジタルカメラの背面図
【図３】本実施形態に係るデジタルカメラのブロック図
【図４】本実施形態に係る撮影モード中のデジタルカメラの処理の流れを示すフローチャート
【図５】本実施形態に係るデジタルカメラの設定処理における状態遷移図
【図６】同メニューの各階層における画面表示例を示す図
【発明を実施するための形態】
【００１３】
次に、図面を用いて、本技術の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１４】
なお、以下の実施形態では、撮像装置の一例として、デジタルカメラを例に挙げて説明する。また、以下の説明では、デジタルカメラの通常姿勢（以下、横撮り姿勢ともいう）を基準として、被写体に向かう方向を「前方」、被写体から離れる方向を「後方」、鉛直上方を「上方」、鉛直下方を「下方」、被写体に正対した状態における右向きを「右方」、被写体に正対した状態における左向きを「左方」と定義する。
【００１５】
〔１．実施形態〕
以下、図１〜図４を参照して、本実施形態に係るデジタルカメラ１００（撮像装置の一例）について説明する。デジタルカメラ１００は、動画及び静止画を撮像可能な撮像装置である。
【００１６】
〔１−１．デジタルカメラの構成〕
図１は、本実施形態に係るデジタルカメラの正面図である。図１に示すように、デジタルカメラ１００は、その正面に光学系１１０を収納するレンズ鏡筒、及びフラッシュ１６０を備える。デジタルカメラ１００は、その上面に、静止画レリーズ釦２０１、ズームレバー２０２、電源釦２０３、及びシーン切換ダイヤル２０９等を含む操作ユニット１５０を、備える。
【００１７】
図２は、本実施形態に係るデジタルカメラの背面図である。図２に示すように、デジタルカメラ１００は、その背面に液晶モニタ１２３、タッチパネル１２５および操作ユニット１５０を備える。操作ユニット１５０は、中央釦２０４、十字釦２０５、動画レリーズ釦２０６、及びモード切換スイッチ２０７等を、含む。
【００１８】
図３は、本実施形態に係るデジタルカメラのブロック図である。図３に示すように、デジタルカメラ１００は、光学系１１０、ＣＣＤイメージセンサ１２０、ＡＦＥ（Ａｎａｌｏｇ  Ｆｒｏｎｔ  Ｅｎｄ）１２１、画像処理部１２２、バッファメモリ１２４、液晶モニタ１２３、タッチパネル１２５、コントローラ１３０、カードスロット１４１、メモリカード１４０、フラッシュメモリ１４２、操作ユニット１５０及びフラッシュ１６０を備える。
【００１９】
光学系１１０は、被写体像を形成する。光学系１１０は、フォーカスレンズ１１１、ズームレンズ１１２、絞り１１３及びシャッタ１１４を有する。他の実施形態として、光学系１１０は、光学式手ぶれ補正レンズＯＩＳ（Ｏｐｔｉｃａｌ  Ｉｍａｇｅ  Ｓｔａｂｉｌｉｚｅｒ）を含むものであってもよい。また、光学系１１０に含まれるレンズは、何枚のレンズから構成されるものであってもよいし、何群のレンズから構成されるものであってもよい。
【００２０】
フォーカスレンズ１１１は、被写体のフォーカス状態を調節するレンズである。ズームレンズ１１２は、被写体の画角を調節するレンズである。絞り１１３は、ＣＣＤイメージセンサ１２０に入射する光量を、調節する。シャッタ１１４は、ＣＣＤイメージセンサ１２０に入射する光の露出時間を、調節する。フォーカスレンズ１１１、ズームレンズ１１２、絞り１１３及びシャッタ１１４それぞれは、ＤＣモータ又はステッピングモータ等の駆動ユニットにより、コントローラ１３０から発行される制御信号に従って、駆動される。
【００２１】
ＣＣＤイメージセンサ１２０は、光学系１１０により形成された被写体像を撮像する撮像素子である。ＣＣＤイメージセンサ１２０は、被写体像を写すフレーム（コマ）の画像データを生成する。
【００２２】
ＡＦＥ（Ａｎａｌｏｇ  Ｆｒｏｎｔ  Ｅｎｄ）１２１は、ＣＣＤイメージセンサ１２０により生成された画像データに対して、各種処理を施す。具体的には、ＡＦＥ１２１は、相関二重サンプリングによる雑音抑圧、アナログゲインコントローラによるＡ／Ｄコンバータの入力レンジ幅への増幅、Ａ／ＤコンバータによるＡ／Ｄ変換等の処理を、施す。
【００２３】
画像処理部１２２は、ＡＦＥ１２１により各種処理が施された画像データに対して、各種処理を施す。画像処理部１２２は、画像データに対して、スミア補正、ホワイトバランス補正、ガンマ補正、ＹＣ変換処理、電子ズーム処理、圧縮処理、縮小処理、拡大処理等の処理を、施す。このような処理を画像データに対して実行することによって、画像処理部１２２は、スルー画像及び記録画像を生成する。本実施形態では、画像処理部１２２は、プログラムを実行するマイクロコンピュータである。しかしながら、他の実施形態では、画像処理部１２２は、ハードワイヤードな電子回路であってもよい。また、画像処理部１２２は、コントローラ１３０等と一体的に構成されるものであってもよい。
【００２４】
コントローラ１３０は、デジタルカメラ１００全体の動作を統括制御する。コントローラ１３０は、ＲＯＭ及びＣＰＵ等により構成される。ＲＯＭには、ファイル制御、オートフォーカス制御（ＡＦ制御）、自動露出制御（ＡＥ制御）、フラッシュ１６０の発光制御に関するプログラムの他、デジタルカメラ１００全体の動作を統括制御するためのプログラムが格納されている。
【００２５】
コントローラ１３０は、画像処理部１２２により各種処理が施された画像データを、静止画データ又は動画データとして、メモリカード１４０及びフラッシュメモリ１４２（以下、メモリカード１４０等）に記録する。本実施形態では、コントローラ１３０は、プログラムを実行するマイクロコンピュータである。なお、他の実施形態では、ハードワイヤードな電子回路であってもよい。コントローラ１３０は、画像処理部１２２等と一体的に構成されるものであってもよい。
【００２６】
液晶モニタ１２３は、スルー画像及び記録画像等の画像を表示する。スルー画像及び記録画像は、画像処理部１２２により生成される。スルー画像は、デジタルカメラ１００が撮影モードに設定されている間に一定の時間間隔で連続的に生成される一連の画像である。詳細には、一連の画像に対応する一連の画像データは、一定の時間間隔でＣＣＤイメージセンサ１２０により生成される。ユーザは、液晶モニタ１２３に表示されるスルー画像を参照することにより、被写体の構図を確認しながら撮影することができる。
【００２７】
記録画像は、メモリカード１４０等に記録されている静止画データ又は動画データを、デコード（伸張）することにより得られる画像である。記録画像は、デジタルカメラ１００が再生モードに設定されている時に、液晶モニタ１２３上に表示される。他の実施形態では、液晶モニタ１２３の代わりに、有機ＥＬディスプレイ等のような、画像を表示可能な任意のディスプレイが使用されてもよい。
【００２８】
タッチパネル１２５は、液晶モニタ１２３と協調しつつ、ユーザから操作を受け付ける操作インタフェースである。タッチパネル１２５は、液晶モニタ１２３上に、液晶モニタ１２３に重なるような態様で配置されている。コントローラ１３０は、指示手段により選択された域（以下、タッチ領域）の座標を、検出する。より具体的には、タッチ領域は、ユーザによりタッチされたタッチパネル１２５上の領域である。なお、指示手段は、例えばユーザの指やタッチペン等を示す文言である。
【００２９】
コントローラ１３０は、タッチパネル１２５上のタッチ領域に対応する、液晶モニタ１２３上の領域に表示されているアイコン等のオブジェクトを、判断する。また、コントローラ１３０は、そのオブジェクトの選択に対応する所定の処理を、実行する。ユーザは、アイコンにタッチすることにより、液晶モニタ１２３に様々なメニュー画面を表示させ、デジタルカメラ１００の設定を行うことができる。
【００３０】
バッファメモリ１２４は、画像処理部１２２及びコントローラ１３０のワークメモリとして機能する揮発性の記憶媒体である。本実施形態では、バッファメモリ１２４は、ＤＲＡＭである。
【００３１】
フラッシュメモリ１４２は、デジタルカメラ１００の内部メモリである。フラッシュメモリ１４２は、不揮発性の記録媒体である。フラッシュメモリ１４２は、図示しないカスタマイズ項目登録領域及び現在値保持領域を有する。
【００３２】
カードスロット１４１には、メモリカード１４０が着脱可能に挿入される。カードスロット１４１は、メモリカード１４０と電気的及び機械的に接続される。
メモリカード１４０は、デジタルカメラ１００の外部メモリである。メモリカード１４０は、不揮発性の記録媒体である。
【００３３】
操作ユニット１５０は、ユーザから操作を受け付ける操作インタフェースである。操作ユニット１５０は、デジタルカメラ１００の外装に配置される操作釦や操作ダイヤル等の総称である。操作ユニット１５０は、静止画レリーズ釦２０１、動画レリーズ釦２０６、ズームレバー２０２、電源釦２０３、中央釦２０４、十字釦２０５、及びモード切換スイッチ２０７を、含む。操作ユニット１５０は、ユーザによる操作を受け付けると、直ちに操作の内容に対応する信号を、コントローラ１３０に送信する。
【００３４】
静止画レリーズ釦２０１は、静止画記録のタイミングを指示するための押下式スイッチである。動画レリーズ釦２０６は、動画記録の開始／終了のタイミングを指示するための押下式スイッチである。コントローラ１３０は、レリーズ釦２０１，２０６が押下されたタイミングに合わせて静止画データ又は動画データの生成を画像処理部１２２等に指示し、メモリカード１４０内等に格納する。
【００３５】
ズームレバー２０２は、画角を広角端と望遠端との間で調節するためのレバーである。コントローラ１３０は、ズームレバー２０２に対するユーザの操作に応じて、ズームレンズ１１２を駆動する。
【００３６】
電源釦２０３は、デジタルカメラ１００の各部への電力供給のＯＮとＯＦＦとを切り換えるためのスライド式スイッチである。
中央釦２０４及び十字釦２０５は、押下式スイッチである。ユーザは、中央釦２０４及び十字釦２０５を操作することによっても、液晶モニタ１２３に様々なメニューの画面を表示させ、デジタルカメラ１００の設定を行うことができる。このメニューの画面において、ユーザは、様々な撮影条件及び再生条件に関するメニューの各項目について、所望の設定値を設定することができる。
【００３７】
モード切換スイッチ２０７は、デジタルカメラ１００を撮影モード及び再生モードに切り換えるためのスライド式スイッチである。
シーン切換ダイヤル２０９は、シーンモードを切り換えるダイヤルである。シーンモードとは、撮影状況に応じて設定されるモードの総称である。撮影状況に影響を与える要因には、各被写体や撮影環境等が含まれる。シーン切換ダイヤル２０９の切り換えによって、複数のシーンモードの中のいずれか１つのシーンモードが、設定される。
【００３８】
複数のシーンモードには、例えば、風景モード、人物モード、夜景モード、手振れ対策可能な夜景モード、逆光モード及びシーン自動判別モード等が、含まれる。例えば、人物モードとは、人物の肌色が適正な色合いになるように撮影する場合に適したモードである。手振れ対策可能な夜景モード（手持ち夜景モード）とは、デジタルカメラ１００をユーザが三脚などの固定器具を使わずに、周辺の光量が少ない状態（低照度環境下）で撮影する場合に適したモードである。逆光モードとは、明暗差が大きい環境で撮影する場合に適したモードである。
【００３９】
ここで、シーン自動判別モードが選択された場合、例えば、風景モード、人物モード、夜景モード、手持ち夜景モード、及び逆光モードの中のいずれか１つのモードが、画像データに基づいて、自動的に設定される。
【００４０】
〔１−２．撮影モードにおける動作〕
図４は、本実施形態に係るデジタルカメラの撮影モード中の処理の流れを示すフローチャートである。以下では、図４を参照して、撮影モードにおける動作について説明する。
【００４１】
ユーザが電源釦２０３を操作してデジタルカメラ１００の電源を入れると、コントローラ１３０は、モード切換スイッチ２０７の設定を参照する（Ｓ４０１）。詳細には、コントローラ１３０は、モード切換スイッチ２０７の設定が撮影モードであるか再生モードであるかを判断する。そして、モード切換スイッチ２０７が再生モードに設定されていた場合（Ｓ４０１でＮｏ）、コントローラ１３０は、撮影モードに関する処理を終了する。
【００４２】
モード切換スイッチ２０７が撮影モードに設定されていた場合（Ｓ４０１でＹｅｓ）、次にコントローラ１３０は、タッチパネル１２５の操作によりユーザが設定のためのメニュー表示の指示をしたかどうかを検出する（Ｓ４０２）。具体的には、ユーザがタッチパネル１２５に対するメニューアイコンへのタッチ操作等、所定の操作を行うと、コントローラ１３０がタッチパネル１２５への操作を検出する。コントローラ１３０は、メニュー表示の指示を検出すると（Ｓ４０２でＹｅｓ）、メニュー表示を行って設定処理に移行する（Ｓ４０３）。設定処理における詳細については後述する。設定処理が完了したら、ステップＳ４０６に移行する。また、メニュー表示の指示を検出しなかった場合（Ｓ４０２でＮｏ）も、ステップＳ４０６に移行する。
【００４３】
次にコントローラ１３０は、ＣＣＤイメージセンサ１２０により生成された画像データ（センサ画像データ）を認識する（Ｓ４０６）。続いて、画像処理部１２２はＹＣ変換処理、拡大縮小処理等の所定の処理をセンサ画像データに対して実行することによって、表示用の画像データを作成する。すると、この表示用の画像データに基づいて、スルー画像が液晶モニタ１２３に表示される（Ｓ４０９）。
【００４４】
ここで、コントローラ１３０は、ユーザにより静止画レリーズ釦２０１が押下されているかどうか判断する（Ｓ４１０）。レリーズ釦２０１が押下されていない場合（Ｓ４１０においてＮｏ）は、ステップＳ４０１に戻る。レリーズ釦２０１が押下されている場合（Ｓ４１０においてＹｅｓ）は、コントローラ１３０は、以下の撮影動作を行う。
【００４５】
コントローラ１３０は、ＣＣＤイメージセンサ１２０を制御して、記録用の画像データを生成させる。画像処理部１２２は、生成された画像データに対し、ＹＣ変換処理、拡大縮小処理、符号化処理等の処理を実行する（Ｓ４１２）。記録用の画像データを作成すると、コントローラ１３０は、記録用の画像データを記録部、例えばメモリカード１４０に記録する処理を実行する（Ｓ４１４）。その後、コントローラ１３０は、再び、モード切換スイッチ２０７によって設定されるモード（撮影モード、再生モード）を参照する処理を、実行する（Ｓ４０１）。上記の一連の動作は、ユーザが、モード切換スイッチ２０７を再生モードに変更するか（Ｓ４０１でＮｏ）、電源を落とすまで、繰り返し実行される。
【００４６】
〔１−３．メニュー設定における動作〕
ユーザによりメニュー表示が指示されたときの、デジタルカメラ１００の設定処理の動作について説明する。
【００４７】
本実施形態のデジタルカメラ１００は、設定のメニューにおいて、インフォメーション表示機能を有する。インフォメーション表示機能は、メニューの項目（メニュー項目）や設定値についての説明を表示する機能である。インフォメーション表示においては、この機能が、メニューの階層毎に表示内容を変化させる。また、メニューの最下層においては、この機能が、設定値の選択後の所定期間が経過したかどうかによって、表示内容を変化させる。以下、メニュー表示、設定処理、およびこのインフォメーション表示機能について詳細に説明する。
【００４８】
図５は、デジタルカメラ１００の設定処理における状態遷移図である。図５において、メニュー階層の上位から階層Ｌ１、Ｌ２、Ｌ３とする。本実施形態のデジタルカメラ１００の設定のメニューにおいて、メニュー項目を選択することにより、階層Ｌ１から階層Ｌ２へと進む。そして、階層Ｌ２で選択したメニュー項目について、階層Ｌ３でその設定値を選択する。また、階層Ｌ１に対応するデジタルカメラ１００の内部状態を状態Ｓ１、階層Ｌ２に対応する内部状態を状態Ｓ２、階層Ｌ３に対応する内部状態を状態Ｓ３１、状態Ｓ３２とする。
【００４９】
図６は、メニューの各階層における画面表示例を示す図である。階層Ｌ１および状態Ｓ１に対応する画面が画面Ｄ１、階層Ｌ２および状態Ｓ２に対応する画面が画面Ｄ２、階層Ｌ３に対応する画面が画面Ｄ３１、画面Ｄ３２である。また、状態Ｓ３１が画面Ｄ３１と対応し、状態Ｓ３２が画面Ｄ３２と対応している。画面Ｄ１および画面Ｄ２はメニュー項目を選択する画面であり、画面Ｄ３１およびＤ３２は画面Ｄ２で選択したメニュー項目の設定値を選択する画面である。画面Ｄ１は、デジタルカメラ１００において設定可能な項目を機能毎にグループ化したメニュー項目を、選択肢として表示する。画面Ｄ２は、画面Ｄ１で選択したメニュー項目に含まれる項目を、選択肢として表示する。画面Ｄ３１および画面Ｄ３２は、画面Ｄ２で選択したメニュー項目において選択可能な設定値を、選択肢として表示する。
【００５０】
ユーザがタッチパネル１２５に対してメニューアイコンへのタッチ操作等の所定の操作を行うと、コントローラ１３０がタッチパネル１２５への操作を検知し、設定処理における初期状態である階層Ｌ１の状態Ｓ１に遷移する。
【００５１】
（１）階層Ｌ１
状態Ｓ１において、コントローラ１３０は、図６に示す画面Ｄ１を、液晶モニタ１２３に表示する。画面Ｄ１には、デジタルカメラ１００のメニュー項目として、「撮影」「動画」「セットアップ」等が、含まれる。例えば、「撮影」ではカメラ１００において静止画の撮影条件に関する設定が行われ、「動画」ではカメラ１００において動画の撮影条件に関する設定が行われる。「セットアップ」では、デジタルカメラ１００の状態に関する設定が行われる。「セットアップ」に含まれるメニュー項目には、例えば時計設定等が含まれる。
【００５２】
画面Ｄ１において、コントローラ１３０は、メニュー項目を示すアイコンとしてアイコンＩ１１、Ｉ１２、Ｉ１３を表示する。Ｉ１１は「撮影」のメニュー項目に対応し、Ｉ１２は「動画」のメニュー項目に対応する。Ｉ１３は「セットアップ」に対応する。また、コントローラ１３０は、メニュー設定を終了する動作に対応するアイコンＣ１を表示する。
【００５３】
状態Ｓ１において、ユーザがタッチパネル１２５を操作すると、コントローラ１３０はユーザがタッチしたアイコンに対応する動作を行う。コントローラ１３０は、ユーザがアイコンＩ１１をタッチしたことを、検出すると、状態を、ひとつ下の階層Ｌ２の状態Ｓ２に遷移させる。同様に、コントローラ１３０は、ユーザがアイコンＩ１２またはＩ１３をタッチしたことを、検出すると、状態を、各々のアイコンに対応する状態（図示せず）に遷移させるが、ここでは詳細の説明は省略する。ユーザがアイコンＣ１をタッチすると、コントローラ１３０は、設定処理の動作を終了する。
【００５４】
（２）階層Ｌ２
状態Ｓ２において、コントローラ１３０は、図６に示す画面Ｄ２を、液晶モニタ１２３に表示する。画面Ｄ２は、画面Ｄ１におけるメニュー項目である「撮影」に含まれるメニュー項目を表示する画面である。デジタルカメラ１００の「撮影」のメニュー項目として、「画像横縦比」「記録画素数」「クオリティ」「ＩＳＯ感度」「ホワイトバランス」「フラッシュ」「絞り」「シャッタースピード」「露出補正」「オートブラケット」「フォーカスモード」等が含まれる。これらメニュー項目を示すアイコンは、「メニュー項目アイコン」の一例である。
【００５５】
画面Ｄ２において、コントローラ１３０は、これらのうち一部のメニュー項目を示すアイコンとしてアイコンＩ２１、Ｉ２２、Ｉ２３、Ｉ２４、Ｃ２を表示する。アイコンＩ２１は「画像横縦比」のメニュー項目に対応し、アイコンＩ２２は「記録画素数」のメニュー項目に対応する。アイコンＩ２３は「クオリティ」のメニュー項目に対応し、アイコンＩ２４は「ＩＳＯ感度」のメニュー項目に対応する。なお、スクロールアイコンＳＣをタッチすることにより、他のメニュー項目に対応するアイコンを表示させることも可能である。アイコンＣ２は、状態Ｓ２から状態Ｓ１に遷移する動作に対応する。
【００５６】
また、コントローラ１３０は、ひとつ上の階層Ｌ１に属する状態Ｓ１において選択した「撮影」に関する説明文を、階層Ｌ２に属する状態Ｓ２において画面Ｄ２の表示エリアＨ２に表示する。表示エリアＨ２には、状態Ｓ１においてユーザがタッチしたアイコン（ここではアイコンＩ１１）に対応するメニュー項目の説明文を、表示する。例えば、画面Ｄ２においては「撮影」に対応した「撮影に関する設定ができます」という説明文を表示する。具体的には、選択したアイコンＩ１１に対応する説明文をフラッシュメモリ１４２から取得し、表示エリアＨ２に表示する。
【００５７】
より具体的には、コントローラ１３０は説明文を表示するときに、文字数が表示エリアＨ２に一度に表示可能な文字数よりも多いか少ないかのチェックを行う。説明文の文字数の方が少ない場合は、表示エリアＨ２に説明文全体を常に表示するが、文字数が表示エリアＨ２に表示可能な文字数よりも多い場合は、コントローラ１３０はＨ２の表示エリアの中で説明文をスクロールすることで全ての文字を表示する動作を行う。コントローラ１３０は、説明文をスクロールし終わっても、状態Ｓ２の間は、繰り返しスクロールして説明文を表示する動作を行う。
【００５８】
状態Ｓ２において、ユーザがタッチパネル１２５を操作すると、コントローラ１３０は、ユーザがタッチしたアイコンに対応する動作を、行う。コントローラ１３０は、ユーザがアイコンＩ２１をタッチしたことを、検出すると、状態を、ひとつ下の階層Ｌ３の状態Ｓ３１に遷移させる。同様に、コントローラ１３０は、ユーザがアイコンＩ２２、Ｉ２３またはＩ２４をタッチしたことを、検出すると、状態を、各々のアイコンに対応する状態（図示せず）に遷移させるが、ここでは詳細の説明は省略する。ユーザがアイコンＣ２をタッチすると、コントローラ１３０は状態Ｓ２からひとつ上の階層Ｌ１の状態Ｓ１に遷移する。
【００５９】
（３）階層Ｌ３
状態Ｓ２から状態Ｓ３１に遷移すると、コントローラ１３０は、状態Ｓ２でユーザがタッチしたメニュー項目（ここではアイコンＩ２１）に対応した画面である画面Ｄ３１を、液晶モニタ１２３に表示する。画面Ｄ３１には、デジタルカメラ１００の「画像横縦比」のメニュー項目に対応する設定値の選択肢として、「４：３」「３：２」「１６：９」「１：１」が含まれる。これら設置値を示すアイコンは、「設定アイコン」の一例である。
【００６０】
画面Ｄ３１において、コントローラ１３０は、設定値を示すアイコンとしてＩ３１、Ｉ３２、Ｉ３３、Ｉ３４を表示する。Ｉ３１は「４：３」に対応し、Ｉ３２は「３：２」に対応し、Ｉ３３は「１６：９」に対応し、Ｉ３４は「１：１」に対応する。ここで、コントローラ１３０は、「画像横縦比」の現在の設定値に対応するアイコンを、他と区別可能なように表示する。具体的には、コントローラ１３０は、メニュー項目Ｉ２１の現在の設定値をフラッシュメモリ１４２から取得し、現在の設定値である「４：３」に対応するアイコンＩ３１を、ハイライト表示する（ハイライト表示は図示せず）。また、コントローラ１３０は、アイコンＣ３１およびアイコンＫ３１を表示する。アイコンＣ３１の選択は、階層Ｌ３における設定値の変更を破棄し、且つ状態Ｓ３１から状態Ｓ２に遷移する動作を、実行する。アイコンＫ３１の選択は、画面Ｄ３１における決定動作を、実行する。画面Ｄ３１における決定動作とは、現在選択しているメニュー項目の設定値を、ユーザが選択した設定値に更新する処理を行い、その後にひとつ上の階層Ｌ２の状態Ｓ２に遷移する動作である。
【００６１】
また、画面Ｄ３１は、メニュー項目の設定値を選択する画面である。コントローラ１３０は、ひとつ上の階層Ｌ２に属する状態Ｓ２で選択したメニュー項目Ｉ２１の説明文（第１情報の一例）を、表示エリアＨ３１に表示する処理を、実行する。また、コントローラ１３０は、メニュー項目Ｉ２１の現在の設定値の説明文（第３情報を一例）を、表示エリアＨ３１に表示する処理を、実行する。具体的には、コントローラ１３０は、メニュー項目Ｉ２１の現在の設定値をフラッシュメモリ１４２から取得し、次にメニュー項目Ｉ２１に対応する説明文および現在の設定値に対応する説明文を、フラッシュメモリ１４２から取得する。コントローラ１３０は、メニュー項目Ｉ２１の説明文と現在の設定値の説明文とを順に繋げて、表示エリアＨ３１に表示する。例えば、「画像横縦比」について「４：３」が現在の設定値である場合は、「画像横縦比」の説明文「画像の横縦比を選びます」と「４：３」の説明文「４：３のテレビやパソコン画面と同じ比率です」とを順に連結して、「画像の横縦比を選びます｜４：３のテレビやパソコン画面と同じ比率です」のように表示する。コントローラ１３０は、画面Ｄ２と同様に、連結した説明文の文字数が、表示エリアＨ３１に表示可能な文字数よりも多いか少ないかを確認し、スクロールして表示するかどうかを判定する。
【００６２】
状態Ｓ３１において、ユーザがタッチパネル１２５を操作すると、コントローラ１３０はユーザがタッチしたアイコンに対応する動作を行う。タッチしたアイコンがＩ３１、Ｉ３２、Ｉ３３およびＩ３４のいずれかの場合は、コントローラ１３０は、状態を、同じ階層Ｌ３の状態Ｓ３２に遷移させる。タッチしたアイコンがアイコンＣ３１である場合は、コントローラ１３０は、状態を、状態Ｓ３１からひとつ上の階層Ｌ２の状態Ｓ２に遷移させる。タッチしたアイコンがアイコンＫ３１である場合は、コントローラ１３０は、上述した決定動作を行う。
【００６３】
状態Ｓ３１から状態Ｓ３２に遷移すると、コントローラ１３０は、ユーザがタッチしたアイコン（ここではアイコンＩ３３）に対応する設定値（ここでは「１６：９」）を、メニュー項目（ここでは「画像横縦比」）の現在の設定値とする。また、コントローラ１３０は、状態Ｓ３１でユーザがタッチしたアイコン（アイコンＩ３３）に対応した画面である画面Ｄ３２を、液晶モニタ１２３に表示する。画面Ｄ３２では、状態Ｓ３１でユーザがタッチしたアイコン（アイコンＩ３３）がハイライト表示される（ハイライト表示は図示せず）。
【００６４】
また、画面Ｄ３２において表示するアイコンは画面Ｄ３１とほぼ同じだが、表示エリアＨ３２に表示する説明文として、画面Ｄ３１でタッチしたアイコンＩ３１、Ｉ３２、Ｉ３３およびＩ３４に対応する説明文（第２情報の一例）を、表示する。具体的には、コントローラ１３０は、状態Ｓ３１でユーザがタッチしたアイコンに対応する設定値に対応する説明文を、フラッシュメモリ１４２から取得する。コントローラ１３０は、表示エリアＨ３２に、この説明文を表示する。ユーザがアイコンＩ３３をタッチした場合、これに対応する説明文「ワイドテレビ、ハイビジョンテレビと同じ比率です」を表示する。コントローラ１３０は、画面Ｄ２と同様に、説明文の文字数が表示エリアＨ３２に表示可能な文字数よりも多いか少ないかを確認し、スクロールして表示するかどうかを判定する。
【００６５】
コントローラ１３０は、タッチしたアイコンの説明文を表示した後、一定時間が経過した場合、状態Ｓ３１に遷移する。このとき、「画像横縦比」については「１６：９」が現在の設定値となっているので、コントローラ１３０は、「画像横縦比」の説明文「画像の横縦比を選びます」と「１６：９」の説明文「ワイドテレビ、ハイビジョンテレビと同じ比率です」とを順に繋げて「画像の横縦比を選びます｜ワイドテレビ、ハイビジョンテレビと同じ比率です」を、表示する。
【００６６】
このように、本実施形態のデジタルカメラ１００では、メニューの階層Ｌ３に移行した初期状態、またはユーザが設定値を選択してから一定時間以上経過した状態である状態Ｓ３１では、メニュー項目Ｉ２１と現在の設定値の説明文が繋げて表示される。このため、ユーザは選択したメニュー項目に関する説明文を読むことで、選択したメニュー項目が、所望のメニュー項目であったかどうかを確認できる。また、このときには、現在の設定値の説明文も同時に読むことができるため、現在の設定値の内容を確認することもできる。
【００６７】
一方、ユーザが設定値を選択した直後（選択から一定時間以内）の状態である状態Ｓ３２では、ユーザがタッチした設定値の説明文のみを表示することで、選択した設定値に関する説明文を、まず知ることが出来る。したがって、メニューの階層Ｌ３において選択肢として表示される複数の設定値について、ユーザがその内容を知りたい場合、そのアイコンをタッチすることにより暫定的にその設定値が選択される。また、このときには、ユーザは、即時にその設定値に関する説明文を読むことができる。例えば画面Ｄ３１（状態Ｓ３１）においてユーザが「１６：９」のアイコンをタッチしたときは、状態が状態Ｓ３２に遷移し、表示エリアＨ３２には「１６：９」の説明文「ワイドテレビ、ハイビジョンテレビと同じ比率です」が、表示される(画面Ｄ３２)。そして、表示エリアＨ３２で説明文が１回表示し終えたときに、状態が状態Ｓ３１に切り換えられる。これにより、表示エリアＨ３１に、「画像の横縦比を選びます｜ワイドテレビ、ハイビジョンテレビと同じ比率です」が、表示される。
【００６８】
ユーザは、設定値を順にタッチして説明文を読み、所望の設定値を見つけた場合に、その時点でアイコンＫ３１をタッチする。これにより、コントローラ１３０が決定動作を行い、最後に選択した設定値がメニュー項目に対する設定値として、設定される。
【００６９】
〔１−４．特徴〕
本実施形態のデジタルカメラ１００は、液晶モニタ１２３と、タッチパネル１２５と、コントローラ１３０とを、備えている。タッチパネル１２５は、液晶モニタ１２３上に重ねて配置される。タッチパネル１２５は、ユーザによる入力操作を受け付けて操作信号を出力する。コントローラ１３０は、文字および画像の少なくともいずれか一方を含むアイコンを、液晶モニタ１２３に表示させる。
【００７０】
このような構成を有するデジタルカメラ１００では、コントローラ１３０が、操作信号に基づいてアイコンの選択を検出する。コントローラ１３０は、メニュー項目を示すメニュー項目アイコンＩ２１〜Ｉ２４を、液晶モニタ１２３に表示させる。コントローラ１３０は、メニュー項目アイコンＩ２１〜Ｉ２４の選択を検出すると、選択されたメニュー項目に含まれる設定項目を示す設定アイコンＩ３１〜Ｉ３４を、液晶モニタ１２３に表示させる。また、コントローラ１３０は、選択されたメニュー項目アイコンＩ２１〜Ｉ２４に対応する説明文Ｈ３１（第１情報の一例）を、液晶モニタ１２３に表示させる。コントローラ１３０は、設定アイコンＩ３１〜Ｉ３４の選択を検出すると、選択された設定項目に関する説明文Ｈ３２（第２情報の一例）を、表示部に表示させる。
【００７１】
このように構成することで、ユーザがメニュー項目を選択した直後には、メニュー項目の説明文を、表示することができる。このため、ユーザは、選択したメニュー項目に関する説明文を読むことで、選択したメニュー項目が、所望のメニュー項目であったかどうかを確認できる。また、ユーザが設定値を選択した直後には、ユーザがタッチした設定値の説明文を、表示することができる。このため、ユーザは、選択した設定値の内容を、設定値を選択する前に事前に確認することができる。
【００７２】
〔２．他の実施形態〕
以上、本技術の一実施形態について説明したが、本技術は上記実施形態に限定されるものではなく、技術の要旨を逸脱しない範囲で種々の変更が可能である。特に、本明細書に書かれた実施形態及び変形例は必要に応じて任意に組み合せ可能である。
【００７３】
他の実施形態としては、一例として、以下のような実施形態が考えられる。
上記実施の形態では、最下層である階層Ｌ３において、アイコンＫ３１をタッチすることで決定動作、すなわち現在選択しているメニュー項目の設定値を、ユーザが選択した設定値に更新する処理を行ってから状態Ｓ２に遷移することとした。しかしながら、次のようにしてもよい。すなわち、決定動作に対応するアイコンＫ３１を設けない代わりに、アイコンＣ３１をタッチしたときのコントローラ１３０の動作を、ユーザが選択した設定値に更新する処理を行ってから状態Ｓ２に遷移するようにする。また、この場合は設定値の更新処理を、ユーザが設定値のアイコンをタッチしたときに行うようにしてもよい。また、次のようにしてもよい。すなわち、コントローラ１３０は、ユーザが設定値を示す同一アイコンを２回連続でタッチしたことを検出したときに、その設定値で決定動作を行うようにしてもよい。このときの２回連続のタッチ操作については、１回目のタッチ操作を検出してから所定時間内に同じアイコンへ２回目のタッチ操作が行われたことを検出したときに、その設定値での決定動作を行うようにしてもよい。
【００７４】
上記実施の形態では、設定値のアイコンをユーザがタッチしたことを検出したのに応じて、タッチされた設定値のアイコンに対応する設定値に関する説明文を液晶モニタ１２３に表示するものとした。しかしながら、次のようにしてもよい。すなわちコントローラ１３０は、状態Ｓ３１において設定値のアイコンをユーザがタッチしたことを検出したのに応じて状態Ｓ３２に遷移し、まずタッチされた設定値のアイコンに対応する設定値に関する説明文を液晶モニタ１２３に表示し、続いて設定値に対応するメニュー項目に関する説明文を液晶モニタ１２３に表示してもよい。
【００７５】
上記実施の形態では撮影モードにおける設定処理を例に挙げて説明したが、本技術は、メニューによる設定に対して適用可能である。例えば、再生モードにおける設定処理に適用することも可能である。また、デジタルカメラ以外の電子機器、例えばビデオカメラ、スマートフォン、コンピュータ等であってもよい。
【産業上の利用可能性】
【００７６】
本技術は、タッチパネル操作による設定を円滑に行うことが可能な電子機器を提供することができるため、メニューによる設定を行うデジタルスチルカメラ、デジタルビデオカメラ、携帯電話、スマートフォン、コンピュータ等に利用可能である。
【符号の説明】
【００７７】
１００  デジタルカメラ
１１０  光学系
１２０  ＣＣＤイメージセンサ
１２１  ＡＦＥ
１２２  画像処理部
１２３  液晶モニタ
１２４  バッファメモリ
１２５  タッチパネル
１３０  コントローラ
１４０  メモリカード
１４１  カードスロット
１４２  フラッシュメモリ
１５０  操作ユニット
１６０  フラッシュ
【図１】
2013149234.tif 000003
【図２】
2013149234.tif 000004
【図３】
2013149234.tif 000005
【図４】
2013149234.tif 000006
【図５】
2013149234.tif 000007
【図６】
2013149234.tif 000008